【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
ユーザ機器(UE)によって実行されるワイヤレス通信のための方法であって、
モバイルブロードバンド(MMB)通信のために前記UEに割り振られたリソースのセットのリソースの再割当てを示す制御メッセージを受信するステップであって、
前記制御メッセージが、第1の持続時間の送信時間間隔(TTI)の制御領域内で受信され、前記第1の持続時間の前のTTIの再割当てされたリソースを示し、
前記制御メッセージが、前記前のTTIの前記再割当てされたリソースを示す第1のダウンリンク制御情報(DCI)を含み、
前記再割当てされたリソースが、前記第1の持続時間よりも短い第2の持続時間のTTIを有する、別のタイプの通信のために前記UEに割り振られる、ステップと、
前記第1のDCIに対する前記1つまたは複数の集約レベルを示す無線リソース制御(RRC)シグナリングを受信するステップと、
前記制御メッセージに少なくとも部分的に基づいて、リソースの前記セットの前記リソースからのデータの復号を試行するステップであって、
前記データの復号を試行することが、前記第1のDCIに対する復号候補のセットについてブラインド復号を実行することを含み、
前記第1のDCIに対する前記復号候補のセットが、リンク条件に少なくとも部分的に基づいている前記1つまたは複数の集約レベルによって定義される、ステップと
を含む、方法。
【請求項２】
前記制御メッセージに少なくとも部分的に基づいて、前記前のTTIの前記再割当てされたリソースの復号を控えるステップ
をさらに含む、請求項1に記載の方法。
【請求項３】
前記第1のDCIに対する、かつアップリンクリソースまたはダウンリンクリソースの割当てを示す第2のDCIに対する前記制御領域を監視するステップ
をさらに含む、請求項1に記載の方法。
【請求項４】
前記第1のDCIに対する第1の復号候補数が、前記第2のDCIに対する第2の復号候補数未満である、請求項3に記載の方法。
【請求項５】
前記前のTTIの間に通信するために使用される変調次数がしきい値よりも大きいと判定するステップと、
前記判定に少なくとも部分的に基づいて、前記制御メッセージに対する前記制御領域を監視するステップと
をさらに含む、請求項1に記載の方法。
【請求項６】
前記前のTTIの間に通信するために使用されるコーディングレートがしきい値よりも大きいと判定するステップと、
前記判定に少なくとも部分的に基づいて、前記制御メッセージに対する前記制御領域を監視するステップと
をさらに含む、請求項1に記載の方法。
【請求項７】
前記前のTTIの間に通信するために使用される空間レイヤの数または送信ランクがしきい値よりも大きいと判定するステップと、
前記判定に少なくとも部分的に基づいて、前記制御メッセージに対する前記制御領域を監視するステップと
をさらに含む、請求項1に記載の方法。
【請求項８】
前記前のTTIの間に他のタイプの通信のために使用されたシステム帯域幅のサブバンドが、前記前のTTIの間に前記他のタイプの通信のために利用可能であると判定するステップと、
前記判定に少なくとも部分的に基づいて、前記制御メッセージに対する前記制御領域を監視するステップと
をさらに含む、請求項1に記載の方法。
【請求項９】
ワイヤレス通信のための方法であって、
モバイルブロードバンド(MBB)通信のためにユーザ機器(UE)に割り振られたリソースのセットのリソース上でデータを前記UEに送信するステップと、
第1のDCIに対する1つまたは複数の集約レベルを示す無線リソース制御(RRC)シグナリングを前記UEに送信するステップであって、
前記第1のDCIに対する復号候補のセットが、リンク条件に少なくとも部分的に基づいている前記1つまたは複数の集約レベルによって定義される、ステップと、
リソースの前記セットのリソースの再割当てを示す制御メッセージを前記UEに送信するステップであって、
前記制御メッセージが、第1の持続時間の送信時間間隔(TTI)の制御領域内で送信され、前記第1の持続時間の前のTTIの再割当てされたリソースを示し、
前記再割当てされたリソースが、前記第1の持続時間よりも短い第2の持続時間のTTIを有する、別のタイプの通信のために前記UEに割り振られ、
前記制御メッセージが、前記前のTTIの前記再割当てされたリソースを示す前記第1のDCIを含む、ステップと
を含む、方法。
【請求項１０】
アップリンクリソースまたはダウンリンクリソースの割当てを示す第2のDCIを送信するステップ
をさらに含み、
前記第1のDCIに対する第1の復号候補数が、前記第2のDCIに対する第2の復号候補数未満である、請求項9に記載の方法。
【請求項１１】
ユーザ機器(UE)におけるワイヤレス通信のための装置であって
モバイルブロードバンド(MMB)通信のために前記UEに割り振られたリソースのセットのリソースの再割当てを示す制御メッセージを受信するための手段であって、
前記受信するための手段が、第1の持続時間の送信時間間隔(TTI)の制御領域内で前記制御メッセージを受信するように構成され、
前記制御メッセージが、前記第1の持続時間の前のTTIの再割当てされたリソースを示し、
前記制御メッセージが、前記前のTTIの前記再割当てされたリソースを示す第1のダウンリンク制御情報(DCI)を含み、
前記再割当てされたリソースが、前記第1の持続時間よりも短い第2の持続時間のTTIを有する、別のタイプの通信のために前記UEに割り振られる、手段と、
前記第1のDCIに対する1つまたは複数の集約レベルを示す無線リソース制御(RRC)シグナリングを受信するための手段と、
前記制御メッセージに少なくとも部分的に基づいて、リソースの前記セットのリソースからのデータの復号を試行するための手段であって、
前記データの復号を試行するための手段が、前記第1のDCIに対する復号候補のセットについてブラインド復号を実行するように構成され、
前記第1のDCIに対する前記復号候補のセットが、リンク条件に少なくとも部分的に基づいている前記1つまたは複数の集約レベルによって定義される、手段と
を含む、装置。
【請求項１２】
ワイヤレス通信のための装置であって、
モバイルブロードバンド(MBB)通信のためにユーザ機器(UE)に割り振られたリソースのセットのリソース上でデータを前記UEに送信するための手段と、
第1のDCIに対する1つまたは複数の集約レベルを示す無線リソース制御(RRC)シグナリングを前記UEに送信するための手段であって、
前記第1のDCIに対する復号候補のセットが、リンク条件に少なくとも部分的に基づいている前記1つまたは複数の集約レベルによって定義される、手段と、
リソースの前記セットのリソースの再割当てを示す制御メッセージを前記UEに送信するための手段であって、
前記制御メッセージが、第1の持続時間の送信時間間隔(TTI)の制御領域内で送信され、前記第1の持続時間の前のTTIの再割当てされたリソースを示し、
前記再割当てされたリソースが、前記第1の持続時間よりも短い第2の持続時間のTTIを有する、別のタイプの通信のために前記UEに割り振られ、
前記制御メッセージが、前記前のTTIの前記再割当てされたリソースを示す前記第1のDCIを含む、手段と
を含む、装置。
【請求項１３】
ワイヤレス通信装置のプロセッサによって実行されると、前記ワイヤレス通信装置に、請求項1乃至10のいずれか1項に記載の方法を実行させるプロセッサ実行可能命令を記憶したプロセッサ可読記録媒体。